(57)【要約】【課題】髪へのダメージが少なく短時間で実施することができるパーマ方法を提供する。【解決手段】被施術者の毛髪を所望の形状にするためのパーマ方法であって、来店した被施術者の毛髪をシャンプーすることなく、毛髪にアイロンをかけて毛髪を伸ばす第１のステップと、毛髪にパーマの１液を塗布する第２のステップと、１液が塗布された毛髪を所定時間だけ放置し、毛髪を水洗し、毛髪を乾燥する第３のステップと、乾燥させた毛髪にアイロンをかけて毛髪を伸ばす第４のステップと、毛髪にパーマの２液を塗布する第５のステップと、２液が塗布された毛髪を所定時間だけ放置し、毛髪を水洗し、毛髪を乾燥する第６のステップとを有する。【選択図】図１
2018187211.tif 000002
【特許請求の範囲】
【請求項１】
被施術者の毛髪を所望の形状にするためのパーマ方法であって、
来店した前記被施術者の前記毛髪をシャンプーすることなく、前記毛髪にアイロンをかけて前記毛髪を伸ばす第１のステップと、
前記毛髪にパーマの１液を塗布する第２のステップと、
前記１液が塗布された前記毛髪を所定時間だけ放置し、前記毛髪を水洗し、前記毛髪を乾燥する第３のステップと、
乾燥させた前記毛髪にアイロンをかけて前記毛髪を伸ばす第４のステップと、
前記毛髪にパーマの２液を塗布する第５のステップと、
前記２液が塗布された前記毛髪を所定時間だけ放置し、前記毛髪を水洗し、前記毛髪を乾燥する第６のステップと
を有することを特徴とするパーマ方法。
【請求項２】
請求項１記載のパーマ方法において、
前記第１のステップの前に、来店した前記被施術者に対して、前記毛髪の新生部と既矯正部とクセの戻り部とをチェックして区別する第７のステップを更に有し、
前記第１のステップでは、前記新生部と前記クセの戻り部の前記毛髪を伸ばし、
前記第２のステップでは、前記新生部と前記クセの戻り部の前記毛髪に前記１液を塗布し、
前記第３のステップでは、前記新生部と前記クセの戻り部の前記毛髪を伸ばす
ことを特徴とするパーマ方法。
【請求項３】
請求項２記載のパーマ方法において、
前記第２のステップでは、前記クセの戻り部の前記毛髪には、前記新生部も前記毛髪に塗布する前記１液よりも弱い還元パワーの１液を塗布する
ことを特徴とするパーマ方法。
【発明の詳細な説明】
【技術分野】
【０００１】
本発明はパーマ方法に関する。
【背景技術】
【０００２】
従来からある一般的なパーマ方法は、シャンプーなどにより余計な汚れを洗い流した被施術者の毛髪に、例えばカーラやロッド，ピンなどの巻髪保形具を取り付けて巻髪状態に保形し、この巻髪した毛髪に還元剤を塗布して所定時間放置することで毛髪を軟化し、この軟化が十分に為された後、還元剤を洗い流し、次いでこの巻髪した毛髪に酸化剤を塗布して所定時間放置する。これにより、毛髪を巻髪状態のまま固化し、この毛髪に所定のパーマネントウェーブを付与する（特許文献１参照）。
【先行技術文献】
【特許文献】
【０００３】
【特許文献１】特開２００８−１８４４２５号公報
【発明の概要】
【発明が解決しようとする課題】
【０００４】
しかしながら、従来のパーマ方法では、髪へのダメージへの配慮や、短時間施術への対策が不十分であった。
【０００５】
本発明の目的は、髪へのダメージが少なく短時間で実施することができるパーマ方法を提供することにある。
【課題を解決するための手段】
【０００６】
本発明に係るパーマ方法は、被施術者の毛髪を所望の形状にするためのパーマ方法であって、来店した前記被施術者の前記毛髪をシャンプーすることなく、前記毛髪にアイロンをかけて前記毛髪を伸ばす第１のステップと、前記毛髪にパーマの１液を塗布する第２のステップと、前記１液が塗布された前記毛髪を所定時間だけ放置し、前記毛髪を水洗し、前記毛髪を乾燥する第３のステップと、乾燥させた前記毛髪にアイロンをかけて前記毛髪を伸ばす第４のステップと、前記毛髪にパーマの２液を塗布する第５のステップと、前記２液が塗布された前記毛髪を所定時間だけ放置し、前記毛髪を水洗し、前記毛髪を乾燥する第６のステップとを有することを特徴とする。
【０００７】
上述したパーマ方法において、前記第１のステップの前に、来店した前記被施術者に対して、前記毛髪の新生部と既矯正部とクセの戻り部とをチェックして区別する第７のステップを更に有し、前記第１のステップでは、前記新生部と前記クセの戻り部の前記毛髪を伸ばし、前記第２のステップでは、前記新生部と前記クセの戻り部の前記毛髪に前記１液を塗布し、前記第３のステップでは、前記新生部と前記クセの戻り部の前記毛髪を伸ばすようにしてもよい。
【０００８】
上述したパーマ方法において、前記第２のステップでは、前記クセの戻り部の前記毛髪には、前記新生部も前記毛髪に塗布する前記１液よりも弱い還元パワーの１液を塗布するようにしてもよい。
【発明の効果】
【０００９】
以上の通り、本発明によれば、来店した被施術者の毛髪をシャンプーすることなく、毛髪にアイロンをかけて毛髪を伸ばし、毛髪にパーマの１液を塗布し、１液が塗布された毛髪を所定時間だけ放置し、毛髪を水洗し、毛髪を乾燥し、乾燥させた毛髪にアイロンをかけて毛髪を伸ばし、毛髪にパーマの２液を塗布し、２液が塗布された毛髪を所定時間だけ放置し、毛髪を水洗し、毛髪を乾燥するようにしたので、髪へのダメージが少なく短時間で実施することができる。
【図面の簡単な説明】
【００１０】
【図１】図１は本発明の一実施形態によるパーマ方法のフローチャート（その１）である。
【図２】図２は本発明の一実施形態によるパーマ方法のフローチャート（その２）である。
【発明を実施するための形態】
【００１１】
［発明の原理］
縮毛矯正は施術に細心の注意が必要な技術である。本願発明者は、常日頃から縮毛矯正の様々な技法を活用しているが、今回、髪へのダメージが少なく短時間で実施することができるパーマ方法を考案するに至った。
【００１２】
本発明のパーマ方法は、ドライヤー、ブローによる毛髪へのダメージを回避するために、最初にシャンプーは行わずに、パーマの１液塗布前にクセ毛をアイロンで伸ばすことを特徴とする。
【００１３】
最初にクセ毛をアイロンで伸ばす施術には注意する点がある。ひとつは、最初にクセ毛をアイロンで伸ばすと、パーマの１液塗布の時に、前回矯正した部分との境界がわからなくなることがある。その結果、１液塗布の塗り分けを間違えて髪に余分なダメージを与えることになる。また、この施術に、通常のパーマ方法で使用した薬液を使うと、薬液のパワーが強すぎて、髪に余分なダメージを与えることになる。
【００１４】
本願発明者は、縮毛矯正の施術を行うときには、髪の毛が本来持っている体力を残すことを最も大切にしている。極力優しい薬液を使用し、最適な還元をさせながら、クセ毛を伸ばしていく施術である。これにより、髪のダメージを低減して、しなやかで美しい毛流れを生み出すことができる。
【００１５】
本発明のパーマ方法の原理について説明する。
【００１６】
本発明のパーマ方法では、クセ毛をアイロンで伸ばす前に、サロンではシャンプーを行わない。これは、シャンプー後のドライによる毛髪へのダメージを回避するためである。また、シャンプーを行って、その後のドライが不十分で髪に余分な水分が残っていると、アイロンによるダメージを引き起こして、施術される人が熱い思いをするおそれがあるからでもある。
【００１７】
本発明のパーマ方法では、最初、毛髪にアイロンをかける。パーマ施術する前の毛髪は、ウェーブがかかっている状態でも毛髪内部の結合が安定し、変化しにくい固定の状態になっている。アイロン後の状態は、アイロンの熱と力により毛髪が伸ばされ、毛髪内部は、一時的に真っ直ぐに固定された固定部と固定部間をつなぐ歪み部とが交互に連続した状態になる。歪み部には元の状態に戻ろうとする力が働く。
【００１８】
本発明のパーマ方法では、アイロンをかけた毛髪にパーマの１液を塗布する。アイロンにより、毛髪内部の多くの部分は真っ直ぐに固定されている。パーマの１液では、歪み部だけを還元すればよいので、その還元パワーは弱くても十分に効果を発揮する。
【００１９】
このように本発明のパーマ方法では、弱い還元パワーの１液を使用できるので、１液塗布後に放置する還元時間を短くすることができる。また、弱い還元パワーの１液でよいので、毛髪本来が持っている体力を残したまま、継続した施術が可能となる。
【００２０】
これに対し、従来のパーマ方法では、パーマ施術する前の毛髪の状態は全体が変化しにくい固定の状態になっているので、１液の還元パワーは、その固定の状態を変化させるような強いパワーが必要である。そのため、１液塗布後に放置する還元時間が長く必要となり、毛髪本来が持っている体力を残すことが困難となる。
【００２１】
本発明のパーマ方法では、１液塗布後、毛髪を水洗し、その後ブローして乾燥させる。
【００２２】
その後、本発明のパーマ方法では、毛髪に再度アイロンをかけて、１液施術後に残っていた毛髪の歪みをアイロンで伸ばす。これにより毛髪は、すべて伸ばされた一時的に固定された状態となる。
【００２３】
次に、本発明のパーマ方法では、パーマの２液を塗布する。毛髪の状態は、２液により一時的に固定された状態がすべて安定した真っ直ぐな状態で固定して、ストレートパーマの状態となる。
【００２４】
２液塗布後、本発明のパーマ方法では、毛髪を水洗し、その後ブローして乾燥させる。それにより、ストレートパーマの施術が完成する。
【００２５】
本発明のパーマ方法の効果について説明する。
【００２６】
本発明のパーマ方法では、パーマの１液を塗布する前に毛髪にアイロンをかけて髪のクセを直している。事前に髪のクセが伸ばされた髪は、薬液施術するときに、１液のパワーが弱くても十分にパーマがかかる。また、毛髪全体に薬液が均等に浸透するので、塗布ムラを防ぐことができ、塗布に要する時間も短縮できる。
【００２７】
また、毛髪に薬液が均等に浸透することで、仕上がりはダメージムラが少なくなる。パワーの弱い薬液で施術したことで、毛髪の損傷が抑えられ、髪本来が持つ体力が残り、継続してストレートパーマをかけることできる。
【００２８】
［一実施形態］
本発明の一実施形態によるパーマ方法について図１及び図２を用いて説明する。図１及び図２は本実施形態によるパーマ方法のフローチャートである。
【００２９】
本実施形態のパーマ方法は、くせ毛を矯正するいわゆる「縮毛矯正」に本発明を適用したものである。縮毛矯正をかけた既矯正部は基本的に半永久的にストレートであるが、新しく生えてきた新生部はくせ毛のままなので、目立ってくる度にかけ直す必要がある。
【００３０】
なお「ストレートパーマ」とは、通常、元々ストレートヘアの人がクセ毛のパーマをかけた後にストレートに戻したいという時に行う施術であり、「縮毛矯正」とは意味合いが異なる。
【００３１】
図１に示すように、被施術者が来店する（ステップＳ１０）と、施術者は最初に被施術者へのカウンセリングを行う（ステップＳ２０）。
【００３２】
カウンセリングステップ（ステップＳ２０）では、最初に、毛髪チェックを行う（ステップＳ２１）。
【００３３】
毛髪診断は丁寧に行う。頭の各部位からスライスを取り出し、毛髪の新生部の長さや既矯正部の状態、クセの戻り部をチェックする。バックなどに前回の施術のクセの戻りがあるか等をチェックする。問診で前回来店したときの施術を確認する。
【００３４】
毛髪の新生部とは、前回のパーマ施術後に新しく生えてきた毛髪の部分のことである。毛髪の既矯正部とは、前回のパーマ施術の際に矯正した部分のことである。クセの戻り部とは、前回のパーマ施術の際に矯正したが元の状態に戻った部分のことである。
【００３５】
続いて、長さチェックを行う（ステップＳ２２）。
【００３６】
本実施形態によるパーマ方法における１液塗布前のアイロンで、毛髪の新生部やクセの戻り部を伸ばすと、１液塗布のときに既矯正部との区別がつきにくくなる。このため、長さチェックにより事前にスケールで新生部やクセの戻り部の長さを測る。例えば、新生部が１２〜１５ｃｍ、クセの戻り部は２〜５ｃｍであれば、それをカルテに記入しておく。
【００３７】
続いて、薬剤を選定する（ステップＳ２３）。
【００３８】
施術者は新生部の状態とクセの戻り部の状態に応じて薬剤を選定する。毛髪の状態を予め設定した複数のカテゴリーのいずれかに属するかを判断する。新生部の状態が属するカテゴリーとクセの戻り部が属するカテゴリーから、予め作成した「クセ毛チャート」を参考にして使用する薬剤を選定する。
【００３９】
「クセ毛チャート」は、新生部の状態とクセの戻り部の状態に応じて、適切な薬液と放置時間等の情報を記載したものである。
【００４０】
例えば、新生部が「ノンカラーの普通毛」で、クセの戻り部が「普通のうねり」であると、例えば、新生部に対しては、アルカリ度３．０、チオ濃度８．０程度の１液を使用し、クセの戻り部に対しては、アルカリ度２．１、チオ濃度５．６程度の１液を選定する
一般的に、クセの戻り部に対して使用する１液は、新生部に対して使用する１液よりも弱い還元パワーであることが望ましい。
【００４１】
毛髪チェック（ステップＳ２１）、長さチェック（ステップＳ２２）は、頭の部位ごとに行うことが望ましい。クセの状態や新生部の伸びは頭の部位によって異なるので、毛髪の表面部分だけでなく、毛髪の内部もチェックして、カルテに記入する。特に、新規に来店した被施術者に対しては、視診、触診、問診を丁寧に詳細に行うようにする。
【００４２】
本実施形態のパーマ方法では、従来のパーマ方法よりもパワーの弱い薬剤で十分に毛髪のクセを伸ばすことができるので、薬剤選定（ステップＳ２３）では、毛髪の体力が残るように、クセや髪質による薬剤の使い分けが重要である。
【００４３】
次に、施術者は被施術者の毛髪にアイロンをかける（ステップＳ３０）。従来のパーマ方法では、来店した被施術者には最初にシャンプーを行うが、本実施形態のパーマ方法では、来店した被施術者に対してシャンプーを行うことなく直ちにアイロンをかけることに特徴がある。
【００４４】
アイロン施術ステップ（ステップＳ３０）では、最初に、アイロン施術しやすいように、毛髪の部位ごとにおおまかにブロッキングする（ステップＳ３１）。
【００４５】
続いて、ドライな状態で部位ごとに毛髪にアイロンをかける（ステップＳ３２）。例えば、リングコームでスライスを引き出し、新生部とクセの戻り部をアイロンで、２回スルーし、面とツヤがでるように真っ直ぐに伸ばしていく。スルーの際には、通常、新生部が長いので、テンションが緩まないように注意する。
【００４６】
アイロン施術ステップ（ステップＳ３０）では、毛髪の状態によりアイロンの方法を変えることも考慮する。アイロン施術では、髪に極力ダメージを与えず、かつ手際よく作業できるように、髪の状態によってリングコームとツインブラシを使い分ける。また、ブロッキングの仕方、テンションのかけ方等の操作方法を変えることが重要である。
【００４７】
次に、パーマの１液を塗布する（ステップＳ４０）。
【００４８】
１液塗布ステップ（ステップＳ４０）では、塗布前に塗布するスライス（薄く分けとられた毛束）を予めブロッキングする塗布前ブロキングを行う（ステップＳ４１）。例えば、ブロッキングをバックとサイドの前後に分けるハーフブロッキングを行う。
【００４９】
本実施形態のパーマ方法では、事前にアイロン施術することで、従来の施術以上に１液の還元が早く進む。１液塗布が一定時間内に手際よく進むように１液塗布前にスライスをブロッキングしておくことが重要である。
【００５０】
続いて、１液を塗布する（ステップＳ４２）。パネル（塗布するためにとり出した板状の毛束）の裏側まで薬液がしっかり浸透するようにリングコームを使い、還元しにくいネーブ（えり足）から塗布を開始する。ブロッキングから外したスライスを手に持ち、多少引き出して新生部に１液を塗布する。既矯正部との境界を少し超える位置までコームを動かす。
【００５１】
前回の施術でのクセの戻りがでているクセの戻り部は、新生部とはクセの状態が異なるので、その部分に適した１液を塗布する。新生部と馴染むように新生部側にも少し塗っておく。
【００５２】
既矯正部でクセが戻っていない毛先は、新生部やクセの戻り部に塗布した薬液がつかないように予めシールドクリームを塗布してガードしておく。
【００５３】
１液塗布ステップ（ステップＳ４０）では、新生部と既矯正部の塗り分けに注意が必要である。アイロン施術ステップ（ステップＳ３０）で新生部のクセを直したことで、１液塗布の歳に新生部と既矯正部の境界がわからなくなる。１液の塗り分けミスを防ぐためには、カウンセリングステップ（ステップＳ２０）の長さチェック（ステップＳ２２）で測定した長さを確認することが重要である。
【００５４】
次に、１液塗布後に一定時間放置する（ステップＳ５０）。
【００５５】
放置時間は、前述した「クセ毛チャート」に記載にしたがって設定する。本実施形態のパーマ方法では軟化させすぎないことが前提なので軟化チェックは行わずに、放置時間が出力すると直ちに次の中間水洗に移る。
【００５６】
髪の状態により放置時間は定められ、「クセ毛チャート」に記載しておく。髪質に対する的確な薬剤選定と、塗布作業のスピードが一定に保たれることで、放置時間後速やかに中間水洗への移行が可能となる。
【００５７】
次に、図２に示すように、中間水洗する（ステップＳ６０）。
【００５８】
最初に、シャンプー台で薬液をしっかり洗い流した後、毛髪や頭皮を優しくシャンプーする（ステップＳ６１）。毛髪のダメージ具合によって泡が立ちにくい場合があり、その場合一度軽く水洗した後２回目のシャンプーを行う。このステップではしっかり泡立つ事が重要である。
【００５９】
続いて、その後スムーズなコーミング（クシで髪をとかすこと）ができるように、洗い流すタイプのトリートメントを付ける（ステップＳ６２）。
【００６０】
続いて、セット面に対して、例えば、泡ボトルに入れた中間処理剤を、アニオン性剤（アニオン性キトサン又はアニオン性ポリマー）、カチオン性剤（カチオン性ヒアルロン酸又はカチオン性キトサン又はカチオン性ポリマー）、ホホバオイルの順に髪全体に付ける（ステップＳ６３）。被施術者の毛髪の長さによっては、泡ボトルを用いる代わりに、アプリケータやシャンプー台にお湯をためてチェンジリンスを行って塗布するようにしてもよい。このステップでは、これら異なる性質のポリマーによる中間処理で、髪に薄い被膜を作り、アイロンの熱から守るようにする。
【００６１】
次に、毛髪を乾燥する（ステップＳ７０）。
【００６２】
毛髪乾燥ステップ（ステップＳ７０）では、毛髪を乾燥させるドライを９割程度行った後、デンマンブラシを使ってブローする。ドライヤーは弱熱の風量が強い状態に設定し、頭皮付近まで全体をしっかり乾かし、ある程度ストレートの状態にしておく。
【００６３】
次に、アフターアイロンを行う（ステップＳ８０）。
【００６４】
アフターアイロンステップ（ステップＳ８０）では、熱でのバサつきを抑えるオイル、例えば、シクロペンタシロキサンに適量の植物性もしくは他のオイルを配合した、シクロペンタシロキサンを主としたオイルを全体に吹きかける（ステップＳ８１）。
【００６５】
アイロンスルーの際には、このオイルによって白い煙が発生するが、被施術者が熱く感じることはない。なお、アイロン操作のときに使用するオイルは、シクロペンタシロキサン以外のものを多く含んだタイプだとアイロン操作の際に毛髪が高熱となり、被施術者が熱く感じるので注意が必要である。
【００６６】
続いて、アフターアイロンのためのブロッキングを行う（ステップＳ８２）。アフターアイロンではツインブラシを使用するので、予めスライスを部分的にブロッキングしておく。例えば、最初にアイロンを入れる左バックサイドをブロッキングする。
【００６７】
なお、１液塗布ステップ（ステップＳ４０）とアフターアイロンステップ（ステップＳ８０）では、共に毛髪をブロキングするが、その意図は相違する。１液塗布ステップ（ステップＳ４０）では、塗布時間が常に一定になることを意図してブロッキングするのに対し、アフターアイロンステップ（ステップＳ８０）では、ツインブラシアイロンがスピーディに作業を進められることを意図してブロッキングする。
【００６８】
続いて、アイロンスルーを行う（ステップＳ８３）。ブロッキングから外したスライスの根元にツインブラシを入れ、頭皮から垂直に引き出す。そして、アイロンはツインブラシを追うように動かしていく。例えば、アイロンを、新生部とクセの戻り部を２回スルーした後、根元から毛先までの全体を１回スルーする。
【００６９】
アフターアイロンステップ（ステップＳ８０）で、新生部やクセの戻り部を完全に伸ばすには、クセの戻り部の把握や、テンションのかけ具合、紙質による道具の使い分けなどの工夫が必要である。
【００７０】
次に、パーマの２液を塗布する（ステップＳ９０）。
【００７１】
２液塗布ステップ（ステップＳ９０）では、還元した部分に２液をまんべんなくかけ、リングコームで軽くコーミングして、薬液が全体に行き渡るようにする。例えば、５分間放置後、シャンプー、インパスコンクオイルのトリートメントで洗い流し、アイロンの熱による髪のパサつきを抑えるためのオイル、例えば、プロセス１４のオイルを付けた後に、ブローして終了する。
【００７２】
［変形実施形態］
上記実施形態に限らず種々の変形が可能である。
【００７３】
例えば、上記実施形態では、くせ毛を矯正する「縮毛矯正」に本発明を適用したが、ストレートヘアの人がクセ毛にする「パーマ」や、元々ストレートヘアの人がクセ毛にするパーマをかけた後にストレートに戻す「ストレートパーマ」に本発明を適用してもよい。
【図１】
2018187211.tif 000003
【図２】
2018187211.tif 000004